【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
画像データまたは音声データを取得する取得手段と、
前記取得手段により取得されたデータを記録媒体に記録する記録処理手段と、
前記記録媒体が、ワンタイム記録媒体か書換え可能記録媒体かを判別する判別手段と、
記録の開始／停止を指示する記録指示手段と、
前記記録指示手段の操作に応じて前記記録処理手段による記録動作を制御する制御手段
とを備え、
前記制御手段は、前記記録指示手段による記録開始指示に従い、前記記録処理手段に記録動作を開始させ、前記記録指示手段による記録終了指示に従い、前記記録処理手段に記録動作を終了させ、
前記制御手段は、前記判別手段により前記記録媒体がワンタイム記録媒体であると判定された場合は、前記記録指示手段による記録開始指示より所定時間経過したことに応じて、前記記録処理手段に記録動作を終了させる
ことを特徴とする記録装置。
【請求項２】
さらに、記録時間の延長を指示する記録延長指示手段を備え、
前記制御手段は、前記判別手段により前記記録媒体がワンタイム記録媒体であると判定された場合は、前記記録指示手段による記録開始指示より所定時間経過前に、前記記録延長指示手段により記録時間の延長の指示がされたことに応じて、前記記録指示手段による記録開始指示より所定時間経過しても記録を継続する
ことを特徴とする請求項１に記載の記録装置。
【請求項３】
前記制御手段は、前記記録延長指示手段により記録時間の延長の指示がされると、前記所定時間経過後、第２の所定時間経過したことに応じて、前記記録処理手段に動作を終了させることを特徴とする請求項２に記載の記録装置。
【請求項４】
前記第２の所定時間は、任意に設定可能であることを特徴とする請求項３に記載の記録装置。
【請求項５】
前記所定時間は、任意に設定可能であることを特徴とする請求項１から４のいずれか１項記載の記録装置。
【請求項６】
画像データ又は音声データを取得する取得手段と、
前記取得手段により取得されたデータを記録媒体に記録する記録処理手段と、
記録の開始／停止を指示する記録指示手段と、
記録時間の延長を指示する記録延長指示手段と、
前記記録指示手段の操作に応じて前記記録処理手段による記録動作を制御する制御手段であって、前記記録指示手段による記録開始指示に従い、前記記録処理手段に記録動作を開始させると共に記録時間を計時し、前記記録時間が所定時間経過した場合または前記記録指示手段による記録停止の指示があった場合に前記記録処理手段による前記記録動作を一時停止させる制御手段
とを具備し、
前記制御手段が更に、記録動作中の前記記録延長指示手段の操作に応じて記録時間を延長する
ことを特徴とする記録装置。
【請求項７】
更に、前記記録媒体が、ワンタイム記録媒体か書換え可能記録媒体かを判別する手段を具備し、
前記制御手段は、前記書換え可能記録媒体に対して、前記記録指示手段による記録開始指示に従い、前記記録処理手段に記録動作を開始させ、前記記録指示手段による記録停止の指示に従い前記記録処理手段による前記記録動作を一時停止させる
ことを特徴とする請求項６に記載の記録装置。
【請求項８】
入力されたデータを記録媒体に記録する記録手段と、
前記記録手段を制御する制御手段
とを有し、
前記制御手段は、前記記録媒体がワンタイム記録媒体である場合に、前記記録媒体に対する前記データの記録を所定時間で停止するように前記記録手段を制御することを特徴とする記録装置。
【請求項９】
前記制御手段は、前記記録媒体が書換え可能記録媒体である場合に、前記記録媒体に対する前記データの記録を前記所定時間で停止しないように前記記録手段を制御することを特徴とする請求項８に記載の記録装置。
【請求項１０】
前記制御手段は、前記記録媒体がワンタイム記録媒体である場合に、前記記録媒体に対する前記データの記録中に記録を延長する延長指示を受けたことに応じて、前記データの記録を前記所定時間で停止しないよう前記記録手段を制御することを特徴とする請求項８または９に記載の記録装置。
【請求項１１】
前記制御手段は、前記延長指示を受けたことに応じて、前記データの記録を第２の所定時間延長することを特徴とする請求項１０に記載の記録装置。
【請求項１２】
前記第２の所定時間は設定された時間であることを特徴とする請求項１１に記載の記録装置。
【請求項１３】
前記所定時間は設定された時間であることを特徴とする請求項８から１２のいずれか１項に記載の記録装置。
【請求項１４】
入力されたデータを記録媒体に記録する記録手段を有する記録装置の制御方法であって、
前記記録媒体がワンタイム記録媒体である場合に、前記記録媒体に対する前記データの記録を所定時間で停止するように前記記録手段を制御する
ことを特徴とする記録装置の制御方法。
【請求項１５】
前記記録媒体が書換え可能記録媒体である場合に、前記記録媒体に対する前記データの記録を前記所定時間で停止しないように前記記録手段を制御することを特徴とする請求項１４記載の記録装置の制御方法。
【請求項１６】
前記記録媒体がワンタイム記録媒体である場合に、前記記録媒体に対する前記データの記録中に記録を延長する延長指示を受けたことに応じて、前記データの記録を前記所定時間で停止しないよう前記記録手段を制御することを特徴とする請求項１４または１５記載の記録装置の制御方法。
【手続補正２】
【補正対象書類名】明細書
【補正対象項目名】発明の名称
【補正方法】変更
【補正の内容】
【発明の名称】記録装置及びその制御方法
【手続補正３】
【補正対象書類名】明細書
【補正対象項目名】０００１
【補正方法】変更
【補正の内容】
【０００１】
本発明は、記録装置及びその制御方法に関し、より具体的には、動画像又は音声等のマルチメディアデータを記録する記録装置及びその制御方法に関する。
【手続補正４】
【補正対象書類名】明細書
【補正対象項目名】００１０
【補正方法】変更
【補正の内容】
【００１０】
本発明は、このような無駄な記録の継続を効果的に防止し得る記録装置及びその制御方法を提示することを目的とする。
【手続補正５】
【補正対象書類名】明細書
【補正対象項目名】００１１
【補正方法】変更
【補正の内容】
【００１１】
本発明に係る記録装置は、画像データまたは音声データを取得する取得手段と、前記取得手段により取得されたデータを記録媒体に記録する記録処理手段と、前記記録媒体が、ワンタイム記録媒体か書換え可能記録媒体かを判別する判別手段と、記録の開始／停止を指示する記録指示手段と、前記記録指示手段の操作に応じて前記記録処理手段による記録動作を制御する制御手段とを備え、前記制御手段は、前記記録指示手段による記録開始指示に従い、前記記録処理手段に記録動作を開始させ、前記記録指示手段による記録終了指示に従い、前記記録処理手段に記録動作を終了させ、前記制御手段は、前記判別手段により前記記録媒体がワンタイム記録媒体であると判定された場合は、前記記録指示手段による記録開始指示より所定時間経過したことに応じて、前記記録処理手段に記録動作を終了させることを特徴とする。
本発明に係る記録装置は、画像データ又は音声データを取得する取得手段と、前記取得手段により取得されたデータを記録媒体に記録する記録処理手段と、記録の開始／停止を指示する記録指示手段と、記録時間の延長を指示する記録延長指示手段と、前記記録指示手段の操作に応じて前記記録処理手段による記録動作を制御する制御手段であって、前記記録指示手段による記録開始指示に従い、前記記録処理手段に記録動作を開始させると共に記録時間を計時し、前記記録時間が所定時間経過した場合または前記記録指示手段による記録停止の指示があった場合に前記記録処理手段による前記記録動作を一時停止させる制御手段とを具備し、前記制御手段が更に、記録動作中の前記記録延長指示手段の操作に応じて記録時間を延長することを特徴とする。
本発明に係る記録装置は、入力されたデータを記録媒体に記録する記録手段と、前記記録手段を制御する制御手段とを有し、前記制御手段は、前記記録媒体がワンタイム記録媒体である場合に、前記記録媒体に対する前記データの記録を所定時間で停止するように前記記録手段を制御することを特徴とする。
本発明に係る記録装置の制御方法は、入力されたデータを記録媒体に記録する記録手段を有する記録装置の制御方法であって、前記記録媒体がワンタイム記録媒体である場合に、前記記録媒体に対する前記データの記録を所定時間で停止するように前記記録手段を制御することを特徴とする。
【手続補正６】
【補正対象書類名】明細書
【補正対象項目名】００１２
【補正方法】削除
【補正の内容】